(57)【要約】【課題】低コスト化を図ることができる床支持具を提供する。【解決手段】本発明に係る床支持具２０は、上床ベースパネル６２上と、上床ベースパネル６２と離間する繋ぎ材６０上と、にわたる間仕切壁８０の設置箇所に設けられる床支持具２０であって、下床１０上に設けられる土台材受具３０と、土台材受具３０上に設けられた土台材４０と、下床１０上に設けられ、土台材４０の側面４０ａに固定された土台壁４２と、土台材４０上に設けられた防振材５０と、を含み、土台材４０は、防振材５０を介して、上床ベースパネル６２および繋ぎ材６０を支持する。【選択図】図２
2017166172.tif 000002
【特許請求の範囲】
【請求項１】
上床ベースパネル上と、前記上床ベースパネルと離間する繋ぎ材上と、にわたる間仕切壁の設置箇所に設けられる床支持具であって、
下床上に設けられる土台材受具と、
前記土台材受具上に設けられた土台材と、
前記下床上に設けられ、前記土台材の側面に固定された土台壁と、
前記土台材上に設けられた防振材と、
を含み、
前記土台材は、前記防振材を介して、前記上床ベースパネルおよび前記繋ぎ材を支持する、床支持具。
【請求項２】
請求項１において、
前記土台材受具は、
前記下床に固定される固定部と、
前記土台材を支持している支持部と、
前記固定部と前記支持部とを接続しているボルト部と、
を有し、
前記支持部は、前記ボルト部に螺着されている、床支持具。
【請求項３】
請求項２において、
前記固定部には、接着剤が充填される貫通孔が設けられている、床支持具。
【請求項４】
請求項１ないし３のいずれか１項において、
前記土台壁は、前記上床ベースパネルと離間する、床支持具。
【請求項５】
請求項１ないし４のいずれか１項において、
前記下床と前記土台壁との間には、シーリング材が設けられる、床支持具。
【請求項６】
請求項１ないし５のいずれか１項において、
前記下床上に設けられ、前記土台壁が固定された前記土台材の側面と反対側の側面に固定された他の土台壁を、さらに含み、
前記繋ぎ材の前記上床ベースパネル側とは反対側に、前記繋ぎ材と離間して他の上床ベースパネルが設けられ、
前記間仕切壁は、前記上床ベースパネル上と、前記繋ぎ材上と、前記他の上床ベースパネル上と、にわたって設けられ、
前記土台材は、前記防振材を介して、前記上床ベースパネル、前記繋ぎ材、および前記他の上床ベースパネルを支持する、床支持具。
【請求項７】
請求項１ないし６のいずれか１項に記載の床支持具を含む、二重床構造。
【請求項８】
下床上に、請求項１ないし６のいずれか１項に記載の床支持具を配置する工程と、
前記床支持具上に、互いに離間した上床ベースパネルおよび繋ぎ材を配置する工程と、
前記上床ベースパネル上と前記繋ぎ材上とにわたって間仕切壁を配置する工程と、
を含む、二重床構造の施工方法。
【発明の詳細な説明】
【技術分野】
【０００１】
本発明は、床支持具、二重床構造、および二重床構造の施工方法に関する。
【背景技術】
【０００２】
従来から、コンクリートスラブなどの下床の上に上床を施工する二重床構造が知らされている。このような二重床構造として、例えば、特許文献１に示すように、下床上に床支持具を配設し、該床支持具上に上床ベースパネルを支持させた構造が知られている。
【０００３】
特許文献１には、防振・防音を必要とする部屋間に設けられる間仕切壁設置箇所において、下床上から上床ベースパネル上面に至る高さの防音土台壁を立設し、上床ベースパネルの下面を下床に立設した遮音際根太にて支持する防振・防音床構造が記載されている。
【先行技術文献】
【特許文献】
【０００４】
【特許文献１】特開２０１５−２２４４４６号公報
【発明の概要】
【発明が解決しようとする課題】
【０００５】
しかしながら、特許文献１に記載の床構造では、例えば台所と洗面所との間に設けられる間仕切壁設置箇所においては、防音土台壁の他に、ボルトを有する遮音際根太を２つ設けている。そのため、特許文献１に記載の床構造は、コストが高くなる場合がある。
【０００６】
本発明のいくつかの態様に係る目的の１つは、低コスト化を図ることができる床支持具を提供することにある。また、本発明のいくつかの態様に係る目的の１つは、低コスト化を図ることができる二重床構造を提供することにある。また、本発明のいくつかの態様に係る目的の１つは、低コスト化を図ることができる二重床構造の施工方法を提供することにある。
【課題を解決するための手段】
【０００７】
本発明は前述の課題の少なくとも一部を解決するためになされたものであり、以下の態様又は適用例として実現することができる。
【０００８】
［適用例１］
本発明に係る配線基板の一態様は、
上床ベースパネル上と、前記上床ベースパネルと離間する繋ぎ材上と、にわたる間仕切壁の設置箇所に設けられる床支持具であって、
下床上に設けられる土台材受具と、
前記土台材受具上に設けられた土台材と、
前記下床上に設けられ、前記土台材の側面に固定された土台壁と、
前記土台材上に設けられた防振材と、
を含み、
前記土台材は、前記防振材を介して、前記上床ベースパネルおよび前記繋ぎ材を支持する。
【０００９】
このような床支持具では、土台材は、１つの土台材受具によってのみ支持されているので、例えば土台材の高さを調整したい場合は、１つの土台材受具を操作することにより、台材の高さを調整することができる。そのため、このような床支持具では、二重床構造の
施工の際に、施工時間を短縮することができ、低コスト化を図ることができる。
【００１０】
［適用例２］
適用例１において、
前記土台材受具は、
前記下床に固定される固定部と、
前記土台材を支持している支持部と、
前記固定部と前記支持部とを接続しているボルト部と、
を有し、
前記支持部は、前記ボルト部に螺着されてもよい。
【００１１】
このような床支持具では、二重床構造の施工の際に、支持部を回転させることにより、支持部の高さを調整することができる。
【００１２】
［適用例３］
適用例２において、
前記固定部には、接着剤が充填される貫通孔が設けられてもよい。
【００１３】
このような床支持具では、接着剤によって、強固に下床に固定されることができる。
【００１４】
［適用例４］
適用例１ないし３のいずれか１例において、
前記土台壁は、前記上床ベースパネルと離間してもよい。
【００１５】
このような床支持具では、防音効果を高くすることができる。
【００１６】
［適用例５］
適用例１ないし４のいずれか１例において、
前記下床と前記土台壁との間には、シーリング材が設けられてもよい。
【００１７】
このような床支持具では、防音効果を高くすることができる。
【００１８】
［適用例６］
適用例１ないし５のいずれか１例において、
前記下床上に設けられ、前記土台壁が固定された前記土台材の側面と反対側の側面に固定された他の土台壁を、さらに含み、
前記繋ぎ材の前記上床ベースパネル側とは反対側に、前記繋ぎ材と離間して他の上床ベースパネルが設けられ、
前記間仕切壁は、前記上床ベースパネル上と、前記繋ぎ材上と、前記他の上床ベースパネル上と、にわたって設けられ、
前記土台材は、前記防振材を介して、前記上床ベースパネル、前記繋ぎ材、および前記他の上床ベースパネルを支持してもよい。
【００１９】
［適用例７］
本発明に係る二重床構造の一態様は、
適用例１ないし６のいずれか１例に記載の床支持具を含む。
【００２０】
このような二重床構造では、間仕切壁を設置する前に、上床ベースパネルを先行して設置することができる。
【００２１】
［適用例８］
本発明に係る二重床構造の施工方法の一態様は、
下床上に、適用例１ないし６のいずれか１例に記載の床支持具を配置する工程と、
前記床支持具上に、互いに離間した上床ベースパネルおよび繋ぎ材を配置する工程と、
前記上床ベースパネル上と前記繋ぎ材上とにわたって間仕切壁を配置する工程と、
を含む。
【００２２】
このような二重床構造では、低コスト化を図ることができる二重床構造を施工することができる。
【図面の簡単な説明】
【００２３】
【図１】本実施形態に係る二重床構造を模式的に示す図。
【図２】本実施形態に係る土台材受具を模式的に示す図。
【図３】本実施形態に係る二重床構造を用いた各部屋のレイアウトを模式的に示す平面図
【図４】本実施形態に係る床支持具の土台材受具の固定部を模式的に示す平面図。
【図５】本実施形態に係る床支持具の土台材受具の固定部を模式的に示す平面図。
【図６】本実施形態に係る床支持具の土台材受具の支持部を模式的に示す平面図。
【図７】本実施形態に係る二重床構造の施工方法を説明するためのフローチャート。
【図８】本実施形態の第１変形例に係る土台材受具を模式的に示す図。
【図９】本実施形態の第２変形例に係る土台材受具を模式的に示す図。
【図１０】本実施形態の第３変形例に係る土台材受具を模式的に示す図。
【発明を実施するための形態】
【００２４】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２５】
１．  床支持具および二重床構造
まず、本実施形態に係る二重床構造について、図面を参照しながら説明する。図１は、本実施形態に係る二重床構造１００を模式的に示す図である。図２は、本実施形態に係る二重床構造１００を模式的に示す図１の領域Ａの拡大図（床支持具２０周辺の拡大図）である。図３は、本実施形態に係る二重床構造１００を用いた各部屋のレイアウトを模式的に示す平面図である。なお、図１は、図３のＩ−Ｉ線断面を説明するための図である。
【００２６】
二重床構造１００は、図１および図２に示すように、下床１０と、床支持具２０と、繋ぎ材６０と、上床ベースパネル６２，６４と、仕上げ材７０，７２と、間仕切壁８０と、を含む。
【００２７】
二重床構造１００を用いた各部屋は、図３に示すように、リビング１０２、洗面所１０４、浴室（ユニットバス）１０６、および便所１０８である。各部屋１０２，１０４，１０６，１０８は、間仕切壁８０によって仕切られている。なお、二重床構造１００を用いた部屋のレイアウトは、図３に示す例に限定されない。
【００２８】
下床１０は、例えば、コンクリートスラブである。二重床構造１００は、下床１０上に床支持具２０を設け、床支持具２０に上床ベースパネル６２，６４を支持させて、二重床構造となっている。
【００２９】
床支持具２０は、図１に示すように、下床１０上であって、間仕切壁８０の設置箇所に
（間仕切壁８０の下方に）設けられている。以下では、リビング１０２と洗面所１０４とを仕切る間仕切壁８０の設置箇所に設けられている床支持具２０について説明する。なお、床支持具２０は、リビング１０２と便所１０８とを仕切る間仕切壁８０の設置箇所に設けられていてもよい。
【００３０】
床支持具２０は、図３に示すように、平面視において間仕切壁８０の長手方向に（間仕切壁８０の延在方向に）複数設けられている。図１に示す例では、下床１０上に、さらに、第１支持具２２および第２支持具２４が設けられている。第１支持具２２は、第１上床ベースパネル６２を支持している。第２支持具２４は、第２上床ベースパネル６４を支持している。
【００３１】
床支持具２０は、図２に示すように、土台材受具３０と、土台材４０と、第１土台壁４２と、第２土台壁（他の土台壁）４４と、防振材（制振材）５０と、を含む。土台材受具３０は、下床１０上に設けられている。土台材受具３０は、固定部３２と、ボルト部３４と、支持部３６と、を有している。
【００３２】
固定部３２は、下床１０に固定されている。図２に示す例では、固定部３２は、接着剤２によって下床１０に固定されている。なお、便宜上、図１では、接着剤２の図示を省略している。ここで、図４および図５は、固定部３２を模式的に示す平面図である。なお、図４では接着剤２を図示し、図５では接着剤２の図示を省略している。固定部３２の材質は、例えば、ＡＢＳ（Ａｃｒｙｌｏｎｉｔｒｉｌｅ  Ｂｕｔａｄｉｅｎｅ  Ｓｔｙｒｅｎｅ）樹脂等である。
【００３３】
固定部３２は、図４および図５に示すように、円板３２ａと、リブ３２ｂと、を有している。円板３２ａは、接着剤２によって下床１０に固定されている。リブ３２ｂは、円板３２ａから上方に突出している。リブ３２ｂは、例えば、円板３２ａと一体に設けられている。リブ３２ｂは、固定部３２の強度を高めることができる。
【００３４】
固定部３２の円板３２ａには、図５に示すように、第１貫通孔３３ａ、第２貫通孔３３ｂ、および第３貫通孔３３ｃが設けられている。貫通孔３３ａ，３３ｂ，３３ｃは、円板３２ａを厚さ方向に貫通している。
【００３５】
第１貫通孔３３ａは、円板３２ａの中央部に設けられている。図示の例では、第１貫通孔３３ａの平面形状は、円形である。第１貫通孔３３ａにはボルト部３４が設けられ、ボルト部３４は、例えば接着剤２によって、第１貫通孔３３ａの内面に固定されている。ボルト部３４は、例えば、円板３２ａの下面よりも下方に突出しないように設けられている。
【００３６】
第２貫通孔３３ｂは、円板３２ａの中心を中心とした同心円状に沿って、複数設けられている。第２貫通孔３３ｂは、接着剤２が充填されている。図４に示す例では、接着剤２は、円板３２ａの上面にも設けられている。例えば、固定部３２を接着剤２によって下床１０に固定する際に、接着剤２は、第２貫通孔３３ｂを充填し、さらに円板３２ａの上面に回り込む。なお、図示の例では、接着剤２は、円板３２ａの外周には到達しないように設けられている。さらに、接着剤２は、リブ３２ｂの上面には到達しないように設けられている。接着剤２は、例えば、変成シリコーン系の接着剤である。
【００３７】
第３貫通孔３３ｃは、図５に示すように、第１貫通孔３３ａの周りに複数設けられている。図示の例では、第３貫通孔３３ｃの平面形状は、円形である。例えば接着剤２を用いずに固定部３２を下床１０に固定させる場合、第３貫通孔３３ｃにビス（図示せず）を通し、該ビスによって固定部３２を下床１０に固定させることができる。なお、ビスによっ
て固定部３２を固定する場合は、下床１０がいたむ場合があるので、接着剤２によって固定部３２を固定することが好ましい。
【００３８】
ボルト部３４は、図２に示すように、固定部３２と支持部３６とを接続している。ボルト部３４の材質は、例えば、変性ＰＰＥ（Ｐｏｌｙｐｈｅｎｙｌｅｎｅｅｔｈｅｒ）樹脂等である。
【００３９】
支持部３６は、図２に示すように、ボルト部３４を介して、固定部３２に接続されている。支持部３６は、土台材４０を支持している。ここで、図６は、支持部３６を模式的に示す平面図である。支持部３６の平面形状は、例えば、図６に示すように、円形である。支持部３６の中央部には、支持部３６を厚さ方向に貫通する第４貫通孔３７が設けられている。第４貫通孔３７の内面は、ボルト部３４と螺着可能な形状を有している。これにより、支持部３６は、高さ調整可能にボルト部３４に螺着されている。土台材受具３０の長さ（鉛直方向の大きさ）Ｈ（図２参照）は、例えば、４０ｍｍ以上１４０ｍｍ以下である。ボルト部３４は、例えば、支持部３６の上面よりも上方に突出しないように設けられている。支持部３６の材質は、例えば、ＡＢＳ樹脂等である。
【００４０】
支持部３６上には、例えば、図６に示すように、緩衝材３８が設けられている。支持部３６は、緩衝材３８を介して、土台材４０を支持している。緩衝材３８の形状は、シート状である。緩衝材３８は、例えば、コーキング材、スポンジなどの発泡材、ゴム等で構成されている。緩衝材３８は、支持部３６と土台材４０とが擦れることを防止することができる。
【００４１】
土台材４０は、図２に示すように、土台材受具３０上に設けられている。緩衝材３８が設けられている場合、土台材４０は、緩衝材３８を介して、土台材受具３０上に設けられている。土台材４０は、例えば、土台材４０を貫通し土台材受具３０の支持部３６まで至る複数のビス（図示せず）によって、土台材受具３０に固定されている。土台材４０は、防振材５０を介して、繋ぎ材６０および上床ベースパネル６２，６４を支持している。
【００４２】
土台材４０の形状は、例えば、直方体である。土台材４０は、第１側面４０ａと、第１側面４０ａと反対側の第２側面４０ｂと、を有している。土台材４０を構成する材料は、例えば、石膏ボード、合板等である。
【００４３】
第１土台壁４２は、土台材４０の第１側面４０ａに固定されている。第２土台壁４４は、土台材４０の第２側面４０ｂに固定されている。土台壁４２，４４は、それぞれ、例えば、土台壁４２，４４を貫通し土台材４０まで至る複数のビス（図示せず）によって、側面４０ａ，４０ｂに固定されている。土台壁４２，４４は、土台材４０を挟んで設けられている。土台壁４２，４４は、板状の部材である。
【００４４】
第１土台壁４２および第２土台壁４４は、下床１０上に設けられている。図示の例では、下床１０と土台壁４２，４４との間には、シーリング材４が設けられ、土台壁４２，４４は、シーリング材４を介して、下床１０上に設けられている。シーリング材４は、下床１０と土台壁４２，４４と隙間を埋めている（シールしている）。シーリング材４は、例えば、ポリウレタン系のシーリング材等である。
【００４５】
第１土台壁４２は、上床ベースパネル６２，６４と離間して設けられている。第２土台壁４４は、上床ベースパネル６２，６４と離間して設けられている。第１土台壁４２と第２土台壁４４との間には、土台材受具３０が設けられている。図示の例では、土台壁４２，４４は、土台材受具３０と離間して設けられている。土台壁４２，４４を構成する材料は、例えば、石膏ボード、合板等である。
【００４６】
防振材５０は、土台材４０上に設けられている。防振材５０は、土台材４０と、繋ぎ材６０および上床ベースパネル６２，６４と、の間に設けられている。防振材５０の形状は、シート状である。防振材５０の材質は、振動を伝え難いものであれば特に限定されないが、例えば、ゴム等である。防振材５０を設けることによって、例えば、第１上床ベースパネル６２における振動が、土台材４０を介して、第２上床ベースパネル６４に伝わることを抑制することができる。これにより、リビング１０２と洗面所１０４との間における振動の伝達を抑制することができる。
【００４７】
繋ぎ材６０および上床ベースパネル６２，６４は、床支持具２０によって支持されている。繋ぎ材６０および上床ベースパネル６２，６４は、それぞれ、例えば、繋ぎ材６０および上床ベースパネル６２，６４を貫通し床支持具２０の土台材４０まで至る複数のビス（図示せず）によって、床支持具２０に固定されている。繋ぎ材６０および上床ベースパネル６２，６４は、板状の部材である。繋ぎ材６０および上床ベースパネル６２，６４を構成する材料は、例えば、石膏ボード、合板等である。
【００４８】
繋ぎ材６０は、床支持具２０と間仕切壁８０との間に設けられている。繋ぎ材６０は、第１上床ベースパネル６２と第２上床ベースパネル６４との間に、上床ベースパネル６２，６４と離間して設けられている。繋ぎ材６０と上床ベースパネル６２，６４との間の距離は、例えば、１ｍｍ以上１０ｍｍ以下である。繋ぎ材６０と第１上床ベースパネル６２との間、繋ぎ材６０と第２上床ベースパネル６４との間には、シーリング材５が設けられている。シーリング材５は、繋ぎ材６０と上床ベースパネル６２，６４との隙間をシールしている。シーリング材５を構成する材料は、例えば、シーリング材４を構成する材料と同じである。シーリング材５は、例えば洗面所１０４で発生した騒音が第２上床ベースパネル６４、繋ぎ材６０、第１上床ベースパネル６２を順に伝わってリビング１０２に至ることを防止することができる。
【００４９】
第１上床ベースパネル６２は、リビング１０２を形成するための上床ベースパネルである。図示の例では、第１上床ベースパネル６２の下方に、第１土台壁４２が位置している。第２上床ベースパネル（他の上床ベースパネル）６４は、繋ぎ材６０の第１上床ベースパネル６２側とは反対側に設けられている。第２上床ベースパネル６４は、洗面所１０４を形成するための上床ベースパネルである。図示の例では、第２上床ベースパネル６４の下方に、第２土台壁４４が位置している。
【００５０】
第１仕上げ材７０は、第１上床ベースパネル６２上に設けられている。第１仕上げ材７０は、リビング１０２を形成するための仕上げ材である。第２仕上げ材７２は、第２上床ベースパネル６４上に設けられている。第２仕上げ材７２は、洗面所１０４を形成するための仕上げ材である。仕上げ材７０，７２は、例えば、フローリング等である。
【００５１】
間仕切壁８０は、繋ぎ材６０上と上床ベースパネル６２，６４上とにわたって設けられている。間仕切壁８０は、リビング１０２と洗面所１０４とを仕切る壁である。間仕切壁８０は、例えば、テープ６によって、繋ぎ材６０および上床ベースパネル６２，６４に固定されている。間仕切壁８０は、例えば、木材等からなる軸組８２の両側に、石膏ボードや合板等からなる壁材８４を貼付したものである。間仕切壁８０の側面には、巾木８６が設けられている。
【００５２】
なお、図示はしないが、第１上床ベースパネル６２と第１仕上げ材７０との間、および第２上床ベースパネル６４と第２仕上げ材７２との間には、捨貼が設けられていてもよい。この場合、間仕切壁８０は、捨貼を介して上床ベースパネル６２，６４上にわたって設けられている。
【００５３】
床支持具２０は、例えば、以下の特徴を有する。
【００５４】
床支持具２０では、土台材受具３０上に設けられた土台材４０は、防振材５０を介して、繋ぎ材６０および上床ベースパネル６２，６４を支持する。このように、床支持具２０では、土台材４０は、１つの土台材受具３０によってのみ支持されているので、例えば土台材４０の高さを調整したい場合は、１つの土台材受具３０を操作することにより、土台材４０の高さを調整することができる。そのため、床支持具２０では、二重床構造１００の施工の際に、例えば高さを調整するために２つの部材を操作する場合に比べて、施工時間を短縮することができ、低コスト化を図ることができる。
【００５５】
床支持具２０では、土台材受具３０は、ボルト部３４と、ボルト部３４に螺着されている支持部３６と、を有している。そのため、床支持具２０では、二重床構造１００の施工の際に、支持部３６を回転させることにより、支持部３６の高さを調整して、土台材４０の高さを調整することができる。
【００５６】
床支持具２０では、土台材受具３０の固定部３２には、接着剤２が充填される第２貫通孔３３ｂが充填される。そのため、土台材受具３０は、接着剤２によって、強固に下床１０に固定されることができる。
【００５７】
床支持具２０では、第１土台壁４２は、上床ベースパネル６２，６４と離間し、第２土台壁４４は、上床ベースパネル６２，６４と離間する。そのため、床支持具２０では、例えば、洗面所１０４で発生した騒音が第２上床ベースパネル６４、第２土台壁４４、土台材４０、第１土台壁４２、第１上床ベースパネル６２を順に伝わってリビング１０２に至ることを防止することができ、防音効果を高くすることができる。
【００５８】
床支持具２０では、下床１０と土台壁４２，４４との間には、シーリング材４が設けられる。そのため、床支持具２０では、リビング１０２や洗面所１０４で発生した騒音が、土台壁４２，４４を伝わって、例えば下床１０の下方に位置する部屋に至ることを防止しることができ、防音効果を高くすることができる。
【００５９】
二重床構造１００では、床支持具２０を含む。そのため、二重床構造１００では、間仕切壁８０を設置する前に、上床ベースパネル６２，６４を先行して設置することができる。そのため、二重床構造１００では、施工の際に、例えば下床１０上に配管（図示せず）を設置した後すぐに上床ベースパネル６２，６４を設置することにより、平坦性の高い上床ベースパネル６２，６４上で間仕切壁８０を設置することができる。したがって、二重床構造１００では、高い安全性で施工されることができる。さらに、二重床構造１００では、配管に傷がつく可能性を小さくすることができる。
【００６０】
２．  二重床構造の施工方法
次に、本実施形態に係る二重床構造の施工法について、図面を参照しながら説明する。図７は、本実施形態に係る二重床構造１００の施工方法を説明するためのフローチャートである。
【００６１】
まず、図１および図２に示すように、下床１０に、予め組立てられた床支持具２０を配置する（ステップＳ１）。例えば、床支持具２０の配置の後に、支持具２２，２４を配置する。なお、支持具２２，２４は、床支持具２０の前に配置されてもよい。床支持具２０は、以下のようにして組立てられる。
【００６２】
まず、固定部３２と、固定部３２の第１貫通孔３３ａに挿入されたボルト部３４と、を
接着剤２によって、下床１０に固定する。次に、ボルト部３４の先端に、緩衝材３８が設けられた支持部３６を取り付ける。次に、支持部３６を回転させて、支持部３６の高さ調整を行う。高さ調整は、レーザーレベル器を用いてもよい。以上により、土台材受具３０を組立てることができる。次に、緩衝材３８を介して土台材受具３０に、土台材４０を固定する。
【００６３】
次に、例えば石膏ボードを土台材４０の高さに合わせてカットして土台壁４２，４４を形成し、土台材４０の側面４０ａ，４０ｂに、それぞれ土台壁４２，４４を固定する。下床１０と土台壁４２，４４との隙間は、シーリング材４でシールする。次に、土台材４０上に、土台材の平面形状に合わせてカットされた防振材５０を貼付する。以上により、床支持具２０を組立てることができる。
【００６４】
次に、床支持具２０の防振材５０上に、互いに離間した繋ぎ材６０および上床ベースパネル６２，６４を配置する（ステップＳ２）。具体的には、まず、繋ぎ材６０を固定し、次に繋ぎ材６０と離間させて上床ベースパネル６２，６４を固定する。繋ぎ材６０と上床ベースパネル６２，６４との隙間は、シーリング材５でシールする。
【００６５】
次に、繋ぎ材６０上と上床ベースパネル６２，６４上とにわたって間仕切壁８０を配置する（ステップＳ３）。具体的には、テープ６を用いて、繋ぎ材６０および上床ベースパネル６２，６４に間仕切壁８０を固定する。
【００６６】
次に、上床ベースパネル６２，６４上に、それぞれ仕上げ材７０，７２を配置する（ステップＳ４）。そして、間仕切壁８０の側面に巾木８６を配置する。
【００６７】
以上の工程により、二重床構造１００を施工することができる。
【００６８】
３．  床支持具の変形例
３．１．  第１変形例
次に、本実施形態の第１変形例に係る床支持具について、図面を参照しながら説明する。図８は、本実施形態の第１変形例に係る床支持具１２０を模式的に示す図である。
【００６９】
以下、本実施形態の第１変形例に係る床支持具１２０において、上述した本実施形態に係る床支持具２０の構成部材と同様の機能を有する部材については同一の符号を付し、その説明を省略する。このことは、以下に示す本実施形態の第２，第３変形例に係る床支持具についても同様である。
【００７０】
上述した床支持具２０は、図２に示すように、リビング１０２と洗面所１０４とを仕切る間仕切壁８０の設置箇所に設けられていた。これに対し、床支持具１２０は、図８に示すように、リビング１０２と浴室１０６とを仕切る間仕切壁８０の設置箇所に設けられている。図８は、図３のＶＩＩＩ−ＶＩＩＩ線断面を説明するための図である。床支持具１２０は、図３に示すように、平面視において間仕切壁８０の長手方向に複数設けられている。
【００７１】
床支持具１２０では、図８に示すように、土台材４０の第２側面４０ｂに第２土台壁４４は固定されていない。図示の例では、第２土台壁４４は、第１土台壁４２に接して設けられ、第１土台壁４２は、土台材４０と第２土台壁４４に挟まれている。
【００７２】
床支持具１２０は、繋ぎ材６０および第１上床ベースパネル６２を支持している。間仕切壁８０は、繋ぎ材６０上と、第１上床ベースパネル６２上と、にわたって設けられている。間仕切壁８０の浴室１０６側には、壁材８４が設けられていてない。図示の例では、
間仕切壁８０は、リビング１０２側に２つの壁材８４が配置された構造を有している。
【００７３】
３．２．  第２変形例
次に、本実施形態の第２変形例に係る床支持具について、図面を参照しながら説明する。図９は、本実施形態の第２変形例に係る床支持具２２０を模式的に示す図である。
【００７４】
床支持具２２０は、図９に示すように、土台材受具３０の長さＨが上述した床支持具２０と異なる。床支持具２２０の土台材受具３０の長さＨは、床支持具２０の土台材受具３０の長さＨよりも大きく、例えば、１７０ｍｍ以上３００ｍｍ以下である。床支持具２２０では、土台材受具３０の固定部３２は、円板３２ａから上方に延在する延在部３２ｃを有している。床支持具２２０は、上述した床支持具２０と同じ位置に（床支持具２０の代わりとして）設けられていてもよい。
【００７５】
床支持具２２０では、床支持具２０に比べて、下床１０と上床ベースパネル６２，６４との間の距離を大きくすることができる。
【００７６】
なお、図示はしないが、上述した床支持具１２０において、床支持具２２０のように土台材受具３０の長さＨを大きくした構造としてもよい。
【００７７】
３．３．  第３変形例
次に、本実施形態の第３変形例に係る床支持具について、図面を参照しながら説明する。図１０は、本実施形態の第３変形例に係る床支持具３２０を模式的に示す図である。
【００７８】
上述した床支持具２０では、第１土台壁４２と第２土台壁４４との長さ（鉛直方向の大きさ）は、同じであった。これに対し、床支持具３２０では、図１０に示すように、第１土台壁４２の長さは、第２土台壁４４の長さよりも大きい。
【００７９】
図示の例では、下床１０は、段差を有しており、第１土台壁４２は、下床１０の段差の下側に設けられ、土台材受具３０および第２土台壁４４は、下床１０の段差の上側に設けられている。床支持具３２０は、上述した床支持具２０と同じ位置に（床支持具２０の代わりとして）設けられていてもよい。
【００８０】
床支持具３２０では、下床１０が段差を有している場合であっても、第１土台壁４２と第２土台壁４４との長さを異ならせることにより、繋ぎ材６０および上床ベースパネル６２，６４を支持することができる。
【００８１】
なお、図示はしないが、第２土台壁４４の長さが、第１土台壁４２の長さよりも大きくてもよい。また、上述した床支持具２２０の土台材受具３０を採用することにより、土台材受具３０および第１土台壁４２を下床１０の段差の下側に設け、第２土台壁４４を下床１０の段差の上側に設けてもよい。
【００８２】
本発明は、本願に記載の特徴や効果を有する範囲で一部の構成を省略したり、各実施形態や変形例を組み合わせたりしてもよい。
【００８３】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８４】
２…接着剤、４，５…シーリング材、６…テープ、１０…下床、２０…床支持具、２２…第１支持具、２４…第２支持具、３０…土台材受具、３２…固定部、３２ａ…円板、３２ｂ…リブ、３２ｃ…延在部、３３ａ…第１貫通孔、３３ｂ…第２貫通孔、３３ｃ…第３貫通孔、３４…ボルト部、３６…支持部、３７…第４貫通孔、３８…緩衝材、４０…土台材、４０ａ…第１側面、４０ｂ…第２側面、４２…第１土台壁、４４…第２土台壁、５０…防振材、６０…繋ぎ材、６２…第１上床ベースパネル、６４…第２上床ベースパネル、７０…第１仕上げ材、７２…第２仕上げ材、８０…間仕切壁、８２…軸組、８４…壁材、８６…巾木、１００…二重床構造、１０２…リビング、１０４…洗面所、１０６…浴室、１０８…便所、１２０，２２０，３２０…床支持具
【図１】
2017166172.tif 000003
【図２】
2017166172.tif 000004
【図３】
2017166172.tif 000005
【図４】
2017166172.tif 000006
【図５】
2017166172.tif 000007
【図６】
2017166172.tif 000008
【図７】
2017166172.tif 000009
【図８】
2017166172.tif 000010
【図９】
2017166172.tif 000011
【図１０】
2017166172.tif 000012